(57)【特許請求の範囲】
【請求項１】
横架材の上部の角部に、接合金具を介して、横架材の軸方向に交叉する方向に所定傾斜角度で垂木を接合固定した木造建築物の接合構造において、
前記接合金具は、前記接合固定部位における前記垂木の前面又は後面に固定された複数の取付け孔を有する第一の取付けプレートと、該第一の取付けプレートの略中心を通る切込み溝及びその左右に略４５度の広がりの折曲げ線で囲われる左右の部位を第一の取付けプレートの板面に略直角に同一方向に折曲成形することにより、互いに略直角の交差角度で突出する夫々に取付け孔を有する左右の第二の取付けプレートと、よりなり、左右の第二の取付けプレート間に前記横架材上部の角部が通り、該左右の第二の取付けプレートが前記横架材上部の角部に隣接する面に接合固定されていることを特徴とする木造建築の接合構造。
【請求項２】
前記垂木（７）が接合固定される前記横架材（６）上部の角部には、垂木（７）の設置勾配に応じた傾斜状の溝であるたるき彫り（６ｂ）が形成されており、このたるき彫り（６ｂ）内に垂木（７）が嵌合固定されていることを特徴とする請求項１に記載の木造建築の接合構造。
【請求項３】
前記接合金具は、全体が円盤状をなし、前記第一の取付けプレートの略中心を通る切込み溝及びその左右に略４５度の広がりの折曲げ線で囲われる左右の扇形部位を第一のプレートの板面に略直角に同一方向に折曲成形することにより、互いに略直角の交差角度で突出する左右の扇形の第二の取付けプレートを形成したものであることを特徴とする請求項１又は２記載の木造建築の接合構造。
【請求項４】
前記接合金具は、全体が長方形をなし、四角形状の第一の取付けプレートの中心を通る切込み溝及びその左右に略４５度の広がりの折曲げ線で囲われる左右の部位を第一のプレートの板面に直角に同一方向に折曲成形することにより、互いに直角の交差角度で突出する左右の第二の取付けプレートを形成したものであることを特徴とする請求項１又は２記載の木造建築の接合構造。
【発明の詳細な説明】
【０００１】
【発明の属する技術分野】
本発明は木造建築物の小屋組において、垂木に対する棟木、母屋、桁行（軒桁）等の横架材を緊結するための接合金具を用いた接合構造に関するものである。
【０００２】
【従来の技術】
木造建築物の小屋組みには、垂木を台風などによる強風で吹き上げられないよう、あおり止め用の接合部材（あおり止め金物やひねり金物、折曲げ金物またはくら金物などと称する）を用いて垂木を棟木、母屋、桁行などの横架材に緊結する方法がとられてきた。
【０００３】
しかし、あおり止め用の接合部材のうち、垂木の側面に取り付ける形式の接合金具は、これまで、左右の区別があった。すなわち、垂木の右側から取付ける接合金具は、左側から取り付けるには適していなかった。
一方、接合金具は必ずしも垂木の一側面のみに限定して取付けられるわけではなく、ケラバの影響を受けたり、他の構造金物と干渉する等の理由により、他側面から取付ける必要性も生ずる。このため、左右用に対応した二組の構造金物を用意しなければならず、施工現場での使用に難があった。
また、垂木は浮き上げに対する力だけでなく、直交方向からの力及び垂木と平行方向からの力も加わる。
【０００４】
そこで従来は、垂木の直交方向からの力に対しては、横架材に垂木彫りを施すとともに、ころび止め用の接合部材（ころび止め）を用いて、小屋組み全体及び垂木の移動を防いでいた。
一方、垂木の平行方向からの力（滑らせる力）に対しては副次的な措置しかとられていないのが現状である。
【０００５】
【発明が解決しようとする課題】
本発明は、以上の課題を解決するものであり、その目的とするところは、垂木に対する取付け側面を左右共用でき、しかも緊結状態では、垂木の垂直方向からだけでなく、平行方向の力にも対応できるようにした接合金具を用いた垂木と横架材の接合構造を提供するものである。
【０００６】
【課題を解決するための手段】
前記目的を達成するため、本発明では、図の実施の形態にも示すように、横架材６の上部の角部に、接合金具１（１０）を介して、横架材６の軸方向に交叉する方向に所定傾斜角度で垂木７を接合固定した木造建築物の接合構造において、
前記接合金具１（１０）は、前記接合固定部位における前記垂木７の前面又は後面に固定された複数の取付け孔を有する第一の取付けプレート３（１２）と、該第一の取付けプレート３（１２）の略中心を通る切込み溝及びその左右に略４５度の広がりの折曲げ線で囲われる左右の部位を第一の取付けプレート３（１２）の板面に略直角に同一方向に折曲成形することにより、互いに略直角の交差角度で突出する夫々に取付け孔を有する左右の第二の取付けプレート４（１３）と、よりなり、左右の第二の取付けプレート４（１３）間に前記横架材６上部の角部が通り、該左右の第二の取付けプレート４（１３）が前記横架材６上部の角部に隣接する面に接合固定されていることを特徴とするものである。
【０００７】
したがって、本発明の接合金具１，１０は左右対称であるため、取付け側面が右側あるいは左側の双方に対応でき、しかも緊結状態では垂木７の軸方向及びこれと直交する方向のいずれにも対抗でき、仕口位置での強度剛性の向上に貢献できる。また、本発明では、従来のあおり止め金物が果たしていた浮き上がり防止機能に加えて、垂直方向及び水平方向の力にも対応できるようになる。その結果、最終的には、上記のように屋根剛性の向上に貢献できる。
【０００８】
また本発明では、接合金具１の全体が円盤状をなすことで、屋根勾配に応じた垂木７の横架材６に対する各種取付け角度に対応できるため汎用性が高い。
さらに本発明では接合金具１０の全体が長方形をなすことにより、プレス成形が簡単に行えることになる。
【０００９】
【発明の実施の形態】
以下、本発明の好ましい実施の形態につき、添付図面を参照して詳細に説明する。図１（ａ），（ｂ）及び図２は本発明の第一の実施形態による接合金具を示すものである。
【００１０】
この接合金具１は、基本的に、厚さ１〜２mm程度の鋼板などの金属プレス成形体であって、（ａ）に示すように、円盤形に成形され、かつ複数のねじ等の取付け孔２を打抜き成形した垂木側取付け用の第一の取付けプレート３と、取付けプレート３の中心を通る切込み溝３ａ及びその左右に４５度の広がりの折曲げ線３ｂで囲われる扇形部位を、図１（ｂ）及び図２に示すように、プレート３の盤面に直角に折曲成形することにより、互いに直角に突出する母屋側取付け用の左右一対の扇形の第二の取付けプレート４とからなっており、各第二の取付けプレート４にもそれぞれ複数の取付け孔２が打抜きによって予め形成されている。
各取付け孔２にはそれぞれ、タッピングスクリュ等の取付け具５がねじ込まれて固定される。
【００１１】
次に、以上の接合金具１を用いて横架材（母屋）に垂木を接合する手順を図３を用いて説明する。
図３（ａ）において、横架材６（母屋）の端面には、洋小屋組の場合における合掌などとの取合いのために、かま継ぎなどの仕口加工６ａが施されているほか、横架材６上部の長手方向における垂木７の取付け位置には、予め適宜設置間隔で垂木７の設置勾配に応じた傾斜状の溝、すなわちたるき彫り６ｂが形成され、この位置に垂木７が嵌合される。
この後、（ｂ）に示すように接合金具１の第一の取付けプレート３を垂木７の一側面に密着させ、第二の取付けプレート４を横架材６の上面及び一側面に密着させた状態で、各取付け孔２に取付け具５をねじ込むことにより、（ｃ）に示すように、接合金具１を介して横架材６（母屋）と垂木７とを緊結する。
【００１２】
緊結状態では、矢印Ａに示す垂木７の軸方向、及び矢印Ｂに示す垂木７と直交する方向のいずれに対しても固定がなされ、接合位置の強度剛性を向上させることになる。
【００１３】
以上の接合金具１は左右対称であるため、連結位置近傍に例えば束材や、方づえなどの干渉する障害物があり、図３の正面方向からの取付けが困難な場合には、同一接合金具１を用いて、裏側から同様な手順により取付けができることになる。
【００１４】
また、図４に示すように、屋根勾配に応じて垂木７の傾斜角度はそれぞれ三寸勾配（傾斜度１７度）、四寸勾配（傾斜度２２度）、五寸勾配（傾斜度２７度）など複数の傾斜角度となるが、第一の取付けプレート３は、円盤状をなしており、勾配の相違によって取付け不能となることがないため、さらに汎用性が高いものとなる。
【００１５】
図５，６は、本発明の第二の実施形態を示すものである。図における接合金具１０は、前記第一の実施形態と同じく、厚さ１〜２mm程度の鋼板などの金属プレス成形体であって、図５（ａ）に示すように、長方形に成形され、かつ複数の取付け孔１１を打抜き成形した垂木側取付用の第一の取付けプレート１２と、取付けプレート１２の略中心を通る切込み溝１２ａ及びその左右に４５度の広がりの折曲げ線１２ｂで囲われる左右の部位を、図５（ｂ）に示すように、取付けプレート１２の盤面に直角に折曲成形することにより、互いに直角に突出する左右一対の母屋側取付け用の第二の取付けプレート１３とからなっており、各第二の取付けプレート１３にも、それぞれ複数の取付け孔１１が打抜きによって予め形成されているものである。
【００１６】
この接合金物１０においても、図６に示すように、第一の取付けプレート１２を垂木７の一側面に当て、第二の取付けプレート１３を横架材６の一側面及び上面に当て、図示しない取付け具により取付けることで、垂木７と横架材６間を緊結できる。
【００１７】
なお、以上の各実施の形態では、前記接合金具１または１０を、垂木７と母屋との結合に利用したが、棟との結合あるいは桁行などの横架材との木造建築用の結合全般に利用できることは勿論である。
【００１８】
【発明の効果】
以上の説明により明らかなように、本発明による接合金具を用いた垂木と横架材の接合構造にあっては、垂木に対する取付け側面を左右共用でき、垂木と横架材との接合固定作業が容易で安全となり、しかも緊結状態では垂木の垂直方向からだけでなく、平行方向の力にも対応でき、木造建築における屋根剛性の向上と建築作業性に貢献できる。
【図面の簡単な説明】
【図１】  （ａ），（ｂ）は本発明の第一の実施形態による接合金具の展開状態及び折曲げ完成状態を示す正面図である。
【図２】  同完成状態を示す斜視図である。
【図３】  （ａ）〜（ｃ）は、同金具を用いた垂木と横架材との緊結手順を示す説明用斜視図である。
【図４】  同緊結状態を示す側断面図である。
【図５】  （ａ），（ｂ）は本発明の第二の実施形態による接合金具の展開状態及び折曲げ完成状態を示す正面図である。
【図６】  同接合金具を用いた垂木と横架材の緊結状態を示す側断面図である。
【符号の説明】
１，１０  接合金具
２，１１  取付け孔
３，１２  第一の取付けプレート
３ａ，１２ａ  切込み溝
３ｂ，１２ｂ  折曲げ線
４，１３  第二の取付けプレート
５  取付け具
６  横架材
７  垂木
【図１】
0003670651.tif 000002
【図２】
0003670651.tif 000003
【図３】
0003670651.tif 000004
【図４】
0003670651.tif 000005
【図５】
0003670651.tif 000006
【図６】
0003670651.tif 000007